(57)【要約】【課題】  温度上昇による異常発熱や発火を起こす原因を排除できるとともに、感光体ドラムに傷が付いたり転写ベルトに変形が起こる不具合を回避できる画像形成装置の転写ベルト接離機構を提供する。【解決手段】  感光体ドラムに形成された現像画像を転写紙に転写して搬送するための転写搬送部の転写ベルトを転写動作時に感光体ドラムに当接させるように転写搬送部の転写搬送部ユニットを上下動させる画像形成装置の転写ベルト接離機構であって、前記転写搬送部ユニットを上下動させるように駆動信号によって駆動されるキープ（ラッチング）ソレノイドと、前記キープソレノイドに前記駆動信号を供給する制御回路と、を具備し、前記制御回路が、前記駆動信号をパルス駆動に変換して供給する供給手段を有する構成となっている。【選択図】      図４
2006184322.tif 000002
【特許請求の範囲】
【請求項１】
感光体ドラムに形成された現像画像を転写紙に転写して搬送するための転写搬送部の転写ベルトを転写動作時に感光体ドラムに当接させるように前記転写搬送部ユニットを上下動させる画像形成装置の転写ベルト接離機構であって、
前記転写搬送部ユニットを上下動させるように駆動信号によって駆動されるキープソレノイドと、
前記キープソレノイドに前記駆動信号を供給する制御回路と、を具備し、
前記制御回路が、前記駆動信号をパルス駆動に変換して供給する供給手段を有することを特徴とした画像形成装置の転写ベルト接離機構。
【請求項２】
前記制御回路が、前記画像形成装置の電源がＯＦＦされた場合に、前記転写搬送部ユニットを駆動して当該転写搬送部ユニットを下げるための別の電源部を具備することを特徴とした請求項１に記載の画像形成装置の転写ベルト接離機構。
【請求項３】
前記制御回路が、前記画像形成装置の電源がＯＦＦされた場合に、前記転写搬送部ユニットを駆動して当該転写搬送部ユニットを下げるため前記別の電源部よりの電源を前記キープソレノイドに供給するスイッチを具備したことを特徴とする請求項２に記載の画像形成装置の転写ベルト接離機構。
【発明の詳細な説明】
【技術分野】
【０００１】
この発明は、感光体ドラムに形成された現像画像を転写紙に転写して搬送するための転写搬送部の転写ベルトを感光体ドラムに当接させるように転写搬送部の転写搬送部ユニットを上下動させる画像形成装置の転写ベルト接離機構に関し、特に、温度上昇による異常発熱や発火を起こす原因を排除できるとともに、感光体ドラムに傷が付いたり転写ベルトに変形が起こる不具合を回避できる画像形成装置の転写ベルト接離機構に関するものである。
【背景技術】
【０００２】
一般に、画像形成装置においては、感光体ドラムに形成された現像画像を転写紙に転写して搬送するための転写搬送部が設けられており、この転写搬送部には、転写動作時に、転写搬送部の転写ベルトを感光体ドラムに当接させるように転写搬送部の転写搬送部ユニットを上下動させる転写ベルト接離機構が設けられている。
【発明の開示】
【発明が解決しようとする課題】
【０００３】
従来の転写ベルト接離機構は、ＤＣソレノイド（ＤＣＳＯＬ）を用いて行っていたが、転写搬送部ユニット上昇中は常にソレノイド（ＳＯＬ）をＯＮしておかなければならず、ＳＯＬからの発熱が問題となっていた。
そこで、キープ（ラッチング）ＳＯＬを用いることでこの発熱の問題は回避できるが、制御の不具合でＯＮ信号を連続に出力してしまうと、やはり発熱の不具合が発生してしまう。
また、転写搬送部ユニットが上昇中に機械の電源をＯＦＦされると、転写搬送部ユニットを下げることが出来ず、感光体ドラムに傷がついたり、転写ベルトに変形を発生させたり、などの不具合を起こしてしまう。
図６は、従来のＳＯＬ駆動回路の一例を示す回路図であり、図７は、図６に示す従来のＳＯＬ駆動回路の動作タイムチャートである。図６に示す回路では、もしＣＰＵの暴走などの理由で、ＵＰ信号またはＤＯＷＮ信号が出力しっぱなしになった場合、トランジスタＱＡ，ＱＢが常にＯＮとなり、キープソレノイド（ＳＯＬ）１７が連続動作となるので、温度上昇による異常発熱や発火を起こす可能性があった。また、転写搬送部ユニットが上昇中に機械の電源をＯＦＦされると、ＵＰ信号またはＤＯＷＮ信号が途絶えるので、キープソレノイド（ＳＯＬ）１７が停止して転写搬送部ユニットがそのままの状態となるので、感光体ドラムに傷がつき転写ベルトに変形を発生させるような不具合があった。
本発明は、上記従来の問題点を解決するためになされたもので、その目的は、キープＳＯＬの駆動信号をパルス駆動に変換してキープＳＯＬへの直流信号をカットして、温度上昇による異常発熱や発火を起こす原因を排除できるとともに、感光体ドラムに傷が付いたり転写ベルトに変形が起こる不具合を回避できる画像形成装置の転写ベルト接離機構を提供することである。
【課題を解決するための手段】
【０００４】
上述の目的を達成するために、請求項１記載の発明は、感光体ドラムに形成された現像画像を転写紙に転写して搬送するための転写搬送部の転写ベルトを転写動作時に感光体ドラムに当接させるように前記転写搬送部ユニットを上下動させる画像形成装置の転写ベルト接離機構であって、前記転写搬送部ユニットを上下動させるように駆動信号によって駆動されるキープソレノイドと、前記キープソレノイドに前記駆動信号を供給する制御回路と、を具備し、前記制御回路が、前記駆動信号をパルス駆動に変換して供給する供給手段を有することを特徴とする。
また、請求項２記載の発明は、請求項１に記載の画像形成装置の転写ベルト接離機構において、前記制御回路が、前記画像形成装置の電源がＯＦＦされた場合に、前記転写搬送部ユニットを駆動して当該転写搬送部ユニットを下げるための別の電源部を具備することを特徴とする。
また、請求項３記載の発明は、請求項２に記載の画像形成装置の転写ベルト接離機構において、前記制御回路が、前記画像形成装置の電源がＯＦＦされた場合に、前記転写搬送部ユニットを駆動して当該転写搬送部ユニットを下げるため前記別の電源部よりの電源を前記キープソレノイドに供給するスイッチを具備したことを特徴とする。
【発明の効果】
【０００５】
本発明によれば、制御回路で直流信号をカットするので、不具合により駆動信号が連続出力されてもキープＳＯＬを連続にドライブすることがなく、温度上昇による発熱や発火を起こすことを防止できる。
また、他の発明によれば、キープＳＯＬの駆動部に別の電源部を具備することで、画像形成装置の電源がＯＦＦされた場合でも確実に転写ユニットを駆動してユニットを自動で下げることができる。従って、感光体ドラムに傷がついたり転写ベルトに変形を発生させたりすることを防止できる。
また、他の発明によれば、前記制御回路が、前記画像形成装置の電源がＯＦＦされた場合に、前記転写搬送部ユニットを駆動して前記転写搬送部ユニットを下げるため前記別の電源部よりの電源を前記キープソレノイドに供給するスイッチを設けたので、ハーネスの断線などで、制御部からユニットを下げられないときに、ユニットを下げる方法を提供できる。従って、制御基板が不良でＤＯＷＮ信号を送ることが出来ないようなときに、このスイッチで前記転写搬送部ユニットを下降させることができる。
【発明を実施するための最良の形態】
【０００６】
以下に添付の図を参照してこの発明の実施形態を詳細に説明する。
（実施例）
図１は、本発明による画像形成装置の転写搬送部の一実施形態の全体図である。
図１に示すように、この転写搬送部１は、感光体ドラム３に形成された現像画像を転写紙に転写して搬送するためのもので、駆動ローラ５と従動ローラ７との間に転写ベルト９が掛け廻されており、転写ベルト９の内側に転写バイアスローラ１１が設けられ、この転写搬送部ユニット１３には、転写動作時に、転写搬送部１の転写ベルト９を感光体ドラム３に当接させるように転写搬送部１の転写搬送部ユニット１３を上下動させる転写ベルト接離機構１５が設けられている。
図２は、図１に示した転写ベルト接離機構１５の詳細構成を示す斜視図である。
図２に示すように、この転写ベルト接離機構１５は、転写接離ＳＯＬ１７を有しており、この転写接離ＳＯＬ１７により接離レバー１９を駆動して転写搬送部ユニット１３を上下動させるようになっている。
図３は、図２に示した転写ベルト接離機構１５の制御回路のブロック図である。
図３に示すように、この転写ベルト接離機構１５の制御回路は、ＤＣ電源２１がメインＳＷ２３を介してＡＣ電源２５に接続されており、ＤＣ電源２１からは直流出力が作られ、メイン制御基板２７に送られる。メイン制御基板２７からは転写ＳＯＬドライブ基板２９へ、転写搬送部ユニット１３を上下させるＵＰ／ＤＯＷＮ信号と電源（２４Ｖ）が供給され、転写ＳＯＬドライブ基板２９には３線式の転写接離ＳＯＬ（キープ（ラッチング）ＳＯＬ）１７が接続され、転写ＳＯＬドライブ基板２９よりのドライブ信号により駆動されるようになっている。なお、転写ＳＯＬドライブ基板２９およびキープＳＯＬ１７は、転写搬送部ユニット１３の内部に格納されるようになっている。
図４は、図３に示した転写ＳＯＬドライブ基板２９およびキープＳＯＬ１７の部分の回路図である。
図４に示すように、この転写ＳＯＬドライブ基板２９およびキープＳＯＬ１７では、２４Ｖ電源がダイオードＤ１を介してコンデンサＣ３を充電して電源部（別の電源部）を形成しており、キープＳＯＬ１７は、３線式で電源部が共通となっており、キープＳＯＬ１７のＵＰ側は、ダイオードＤ２、抵抗Ｒ１、Ｒ２、キャパシタＣ１、抵抗Ｒ３、トランジスタＱ１、ダイオードＤ３により構成され、ダイオードＤ２を介してメイン制御基板２７側に接続され、メイン制御基板２７側よりＵＰ／ＤＯＷＮ信号が入力され、キープＳＯＬ１７のＤＯＷＮ側は、抵抗Ｒ４、Ｒ５、トランジスタＱ３、スイッチＳＷ１、抵抗Ｒ６、Ｒ７、キャパシタＣ２、抵抗Ｒ８、トランジスタＱ２、ダイオードＤ４により構成され、抵抗Ｒ４を介してメイン制御基板２７側に接続され、メイン制御基板２７側よりＵＰ／ＤＯＷＮ信号が入力されるようになっており、キープＳＯＬ１７のドライブにより、転写搬送部ユニット１３が上げ下げされる。
【０００７】
次に、図５のタイムチャートを参照して、図４に示した転写ＳＯＬドライブ基板２９およびキープＳＯＬ１７の部分の動作について説明する。
図５は、図３に示した転写ＳＯＬドライブ基板２９およびキープＳＯＬ１７の部分の動作タイムチャートである。
まず、転写搬送部ユニット１３をＵＰする場合、ＵＰ／ＤＯＷＮ信号がＨｉになり、トランジスタＱ１がＯＮし、キープＳＯＬ１７のＵＰ側がドライブされ転写搬送部ユニット１３が上昇する。ここで、キャパシタＣ１が充電されるとトランジスタＱ１のべース電圧は０Ｖとなり、トランジスタＱ１はＯＦＦする。この時、トランジスタＱ３はＯＮし、トランジスタＱ２はＯＦＦとなっている。
転写搬送部ユニット１３をＤＯＷＮする場合、ＵＰ／ＤＯＷＮ信号がＬｏｗになり、トランジスタＱ３がＯＦＦし、トランジスタＱ２がＯＮし、キープＳＯＬ１７のＤＯＷＮ側がドライブされ転写搬送部ユニット１３が下降する。ここで、キャパシタＣ２が充電されるとトランジスタＱ２のべース電圧は０ＶとなりトランジスタＱ２はＯＦＦとなる。
【０００８】
次に、本発明の要部であるＣＰＵの暴走などの理由で、ＵＰ信号またはＤＯＷＮ信号が出力しっぱなしになった場合および転写搬送部ユニットが上昇中に機械の電源がＯＦＦされ、ＵＰ信号またはＤＯＷＮ信号が途絶えた場合の動作について説明する。
転写ベルト９を作像中の感光体ドラム３に接するように、メイン制御基板２７より転写ＳＯＬドライブ基板２９に信号が送られている状態で、ＣＰＵの暴走などの理由で、ＵＰ信号が出力しっぱなしになった場合でも、図４の回路におけるキャパシタＣ１が充電されるとトランジスタＱ１のべース電圧は０Ｖとなり、トランジスタＱ１はＯＦＦする。
また、ＤＯＷＮ信号が出力しっぱなしになった場合でも、図４の回路におけるキャパシタＣ２が充電されるとトランジスタＱ２のべース電圧は０ＶとなりトランジスタＱ２はＯＦＦとなる。すなわち、図４の回路でキープＳＯＬ１７の駆動をパルス駆動に変換しているため、ＵＰ信号あるいはＤＯＷＮ信号が出力しっぱなしになった場合でも、キャパシタＣ１、Ｃ２による所定充電時間後にキープＳＯＬ１７のドライブが停止される。従って、キープＳＯＬ１７の連続ドライブによる温度上昇による発熱や発火を起こすことがない。
一方、コピー中で転写ベルトを作像中ドラムに接しているときに電源ＳＷをＯＦＦするとＤＣ電源の出力がＯＦＦし、転写搬送部ユニット１７を戻す（下げる）前にＵＰ信号またはＤＯＷＮ信号が途絶えてしまい、このままでは、キープソレノイド（ＳＯＬ）１７が停止して転写搬送部ユニット１７がそのままの状態となるので、感光体ドラムに傷がつき転写ベルトに変形を発生させてしまう。
そこで、本実施形態では、転写搬送部ユニット１７を戻す（下げる）前にＵＰ信号またはＤＯＷＮ信号が途絶えてしまった場合、転写ＳＯＬドライブ基板２９の別電源にはキャパシタＣ３に電荷が蓄えられているため、電源がＯＦＦするとトランジスタＱ３のベース側は０ＶになりトランジスタＱ３はＯＦＦする。この時、キャパシタＣ３の電荷はダイオードＤ１があるため本体側には流れず、トランジスタＱ３がＯＦＦしたときにトランジスタＱ２がＯＮし、キープソレノイド（ＳＯＬ）１７のＤＯＷＮ側が駆動し、転写搬送部ユニット１７を自動的に下げることになる。
また、本実施形態の転写ユニットには、下降ＳＷ１が装備されており、何かの不具合で転写搬送部ユニット１７が下降していなければならないのに、上昇位置にあるときこのＳＷ１を押し、離した時点でトランジスタＱ２がＯＮし、転写搬送部ユニット１７を下降させるようにドライブすることが出来る。これにより、ハーネスの断線などで、制御部から転写搬送部ユニット１７を下げられないときに、ユニットを下げる方法を提供できる。
【図面の簡単な説明】
【０００９】
【図１】本発明による画像形成装置の転写搬送部の一実施形態の全体図である。
【図２】図１に示した転写ベルト接離機構の詳細構成を示す斜視図である。
【図３】図２に示した転写ベルト接離機構の制御回路のブロック図である。
【図４】図３に示した転写ＳＯＬドライブ基板およびキープＳＯＬの部分の回路図である。
【図５】図３に示した転写ＳＯＬドライブ基板およびキープＳＯＬの部分の動作タイムチャートである。
【図６】従来のＳＯＬ駆動回路の一例を示す回路図である。
【図７】図６に示す従来のＳＯＬ駆動回路の動作タイムチャートである。
【符号の説明】
【００１０】
１…転写搬送部、３…感光体ドラム、５…駆動ローラ、７…従動ローラ、９…転送ベルト、１１…転写バイアスローラ、１３…転写搬送部ユニット、１５…転写ベルト接離機構、１７…転写接離ＳＯＬ、１９…接離レバー、２１…ＤＣ電源、２３…メインＳＷ、２５…ＡＣ電源、２７…メイン制御基板、２９…転写ＳＯＬドライブ基板
【図１】
2006184322.tif 000003
【図２】
2006184322.tif 000004
【図３】
2006184322.tif 000005
【図４】
2006184322.tif 000006
【図５】
2006184322.tif 000007
【図６】
2006184322.tif 000008
【図７】
2006184322.tif 000009